(57)【要約】【課題】本発明は、障害者またはリハビリ治療者達が車椅子を乗った状態で、安全且つ容易に使用可能であり、胸、肩、背、腕など、身体の様々な部位の運動において、一つの場所で多様な運動が可能であり、周囲の者の補助を受けず障害者自ら不便を感じず利用可能な、車椅子利用障害者またはリハビリ治療者のための複合ヘルス運動器具装置を提供する。【解決手段】本発明は、本体の中央に設置されているシート及び背受けと、本体の左右両側に設置されているプライと、第１プライドラムと、第２プライドラムと、プライベルトドラムと、ハイポリバーと、ハイポリベルトドラムと、ベンチ・ショルダーインナーと、ベンチ・ショルダーアウターと、ベンチ・ショルダーベルトドラムと、ウェイトが設置されているウェイト装置と、前記ウェイト装置と連結されるウェイトドラムと、ドラム軸と、警光灯とを含んでなる。【選択図】図１
2007307340.tif 000002
【特許請求の範囲】
【請求項１】
本体の中央に設置されているシート及び背受けと、
本体の左右両側に設置されているプライと、
前記プライと軸により連結されている第１プライドラムと、
前記第１プライドラムの外側に設置されたプライドラム連結リンクにより連結されている第２プライドラムと、
前記第１プライドラムの円周方向に設置されたプライベルトにより連結されているプライベルトドラムと、
本体の上部に設置されているハイポリバーと、
前記ハイポリバーとハイポリベルトにより連結されているハイポリベルトドラムと、
本体の左右両側に設置されており、端部にベンチショルダーー取っ手が設置されているベンチ・ショルダーインナーと、
前記ベンチ・ショルダーインナーが内部で往復摺動するように設置され、ベンチショルダー回転軸を中心にして回転可能に設置されるベンチ・ショルダーアウターと、
前記ベンチ・ショルダーインナーの外側に設置されたベンチ・ショルダーベルトにより連結されているベンチ・ショルダーベルトドラムと、
ウェイトが設置されているウェイト装置と、
前記ウェイト装置と連結されるウェイトドラムと、
前記プライベルトドラムとハイポリベルトドラムとベンチ・ショルダーベルトドラムとウェイトドラムとを連結するドラム軸と、
運動の途中に助けを借りるために動作させるための警光灯と、
を含んでなることを特徴とする車椅子利用障害者またはリハビリ治療者のための複合ヘルス運動器具装置。
【請求項２】
前記シート及び背受けが各々設置されるシートプレート及び背受けプレートと、
前記シートの高さを調整するためのシート高さ調整ピンと、
前記シートが回転されるようにするためのシート回転ピンと、
前記シートを固定するためのシート固定プレートと、
を更に含んでなることを特徴とする請求項１に記載の車椅子利用障害者またはリハビリ治療者のための複合ヘルス運動器具装置。
【請求項３】
前記シート及び背受けの位置を前後に調整するための調整ハンドルと、
前記調整ハンドルに連結される雄ねじと、
前記雄ねじと結合される雌ねじと、
前記雌ねじを本体に固定させるための雌ねじ固定ボルトと、
前記雄ねじの後進長さを一定に制限するためのストッパーと、
前記ストッパーを本体に固定させるためのストッパー固定ボルトと、
を更に含んでなることを特徴とする請求項１に記載の車椅子利用障害者またはリハビリ治療者のための複合ヘルス運動器具装置。
【請求項４】
前記背受けの下段に車椅子固定ベルトボルトを利用して設置されて、車椅子を固定させるための車椅子固定ベルトを更に含んでなることを特徴とする請求項１に記載の車椅子利用障害者またはリハビリ治療者のための複合ヘルス運動器具装置。
【請求項５】
前記背受けプレートの移動のための補助輪を更に含んでなることを特徴とする請求項２に記載の車椅子利用障害者またはリハビリ治療者のための複合ヘルス運動器具装置。
【請求項６】
前記ベンチ・ショルダーアウターに設置されるベンチショルダー回転板及びベンチショルダー回転軸ベアリングと、
ベンチ・ショルダーインナーとベンチ・ショルダーアウターの直線スライド運動を円滑にするために設置されるスライドレールを更に含んでなることを特徴とする請求項１に記載の車椅子利用障害者またはリハビリ治療者のための複合ヘルス運動器具装置。
【請求項７】
前記ベンチ・ショルダーアウターにはベンチ・ショルダーインナーとの衝撃及び騒音を防止するための緩衝ゴムを更に含んでなることを特徴とする請求項１に記載の車椅子利用障害者またはリハビリ治療者のための複合ヘルス運動器具装置。
【請求項８】
ベンチ・ショルダーアウターの後側に設置されるウェイトバランスを更に含んでなることを特徴とする請求項１に記載の車椅子利用障害者またはリハビリ治療者のための複合ヘルス運動器具装置。
【請求項９】
前記ウェイト装置のウェイト調整ホールを利用してウェイトを調整するためのウェイト調整ピンを更に含んでなることを特徴とする請求項１に記載の車椅子利用障害者またはリハビリ治療者のための複合ヘルス運動器具装置。
【請求項１０】
前記ドラム軸の回動を円滑にするために両側端部に設置されているベアリングを更に含んでなることを特徴とする請求項１に記載の車椅子利用障害者またはリハビリ治療者のための複合ヘルス運動器具装置。
【請求項１１】
前記ハイポリベルトドラムとプライベルトドラムとベンチ・ショルダーベルトドラムは、中心部にベルトドラムベアリングを設置してドラム軸上で回動自在であり、ドラム軸とシンクキーにより連結されたウェイト連結リンクはベルトドラムウェイト固定ボルトを利用してドラム軸の指定位置に固定され、ベルトドラムウェイトはベルトドラムの内側にベルトドラムウェイト固定ボルトにより固定され、ウェイトの荷重が反時計方向に作用するように長穴を利用して遊隔を調整して各々の運動装置が指定された位置に停止するようにし、ベルトドラムの内部が見えないようにベルトドラム蓋固定ボルトを利用してベルトドラム蓋がウェイト連結リンクに固定される構造からなることを特徴とする請求項１乃至１０のうち、いずれか１項に記載の車椅子利用障害者またはリハビリ治療者のための複合ヘルス運動器具装置。
【発明の詳細な説明】
【技術分野】
【０００１】
本発明は、運動器具装置に関し、より詳しくは、障害者またはリハビリ治療者が車椅子に乗った状態で安全で、かつ、容易に使用することができ、胸、肩、背、腕など、身体の様々な部位を運動することについて、場所を移動しなくても一つの場所で多様な運動をすることができるのみならず、周辺にいる人の補助を受けなくとも、障害者自ら不便を感じることなく利用できる、車椅子利用障害者またはリハビリ治療者のための複合ヘルス運動器具装置に関する。
【背景技術】
【０００２】
先天的または後天的な障害がある障害者またはリハビリ治療者達は、様々な身体的な制約のため、運動時間の減少により体力が低下し、精神的に不安定となり、さらには対人忌避となるなど、個人的且つ社会的な問題が引き起こされるという問題がある。
【０００３】
運動に関心がある障害者またはリハビリ治療者が運動をしたくても彼らが使用可能なスポーツセンターやヘルスクラブはなく、近くの体育公園に置かれているヘルス機構は、一般的に健常者の基準に合せて製作されている関係で、使用可能な機構は幾つかの機構に制限されているのが実状である。
【０００４】
また、一般に販売されているヘルス運動器具は、健常者を対象にした製品として製作されているので、障害者またはリハビリ治療者がヘルス運動をしようとしても、このような運動をしようとする欲求を満たすのに十分な運動器具がない関係で、他人の助けを借りなくては自らヘルス運動をすることができない。
【０００５】
勿論、他人の助けを借りることになれば、障害者またはリハビリ治療者達がヘルス運動器具を利用することができることになるが、車椅子を乗って当該運動器具に移動して車椅子から降りて運動をした後、運動が終わればまた車椅子に乗らなければならないということは困難である。
【０００６】
このような問題を解決するために、車椅子を利用する障害者及びリハビリ治療者が車椅子から降りなくても容易に限定された空間内で持続的に腕運動をすることができるようにする技術が特許文献１（公告日付２００１年１月１５日）の“車椅子障害者用腕運動装置”に開示されている。
【０００７】
しかしながら、前記特許文献１を含んだ従来のヘルス運動器具は、特定の身体部位別に運動をすることができるように単一運動機構として製作されているので、１つのヘルス運動器具の使用が終わった後、他のヘルス運動器具を利用するためには車椅子を移動させなければならない不便さがある。
【０００８】
また、従来のヘルス運動器具は、障害者及びリハビリ治療者にとって必要不可欠な安全機能が備えられていないという問題がある。
【特許文献１】大韓民国登録実用新案公報公告番号２０―０２１１６８３号
【発明の開示】
【発明が解決しようとする課題】
【０００９】
本発明は、前記ような従来の問題を解決するためのものであって、障害者またはリハビリ治療者が車椅子を乗った状態で、安全で、かつ、容易に使用することができ、胸、肩、背、腕など、身体の様々な部位を運動することについて、場所を移動しなくても一つの場所で多様な運動をすることができるのみならず、周辺にいる人の補助を受けなくとも、障害者自ら不便を感じることなく利用できる、車椅子利用障害者またはリハビリ治療者のための複合ヘルス運動器具装置を提供することをその目的とする。
【課題を解決するための手段】
【００１０】
前記目的を達成するための手段として、本発明の構成は、本体の中央に設置されているシート及び背受けと、本体の左右両側に設置されているプライと、前記プライと軸により連結されている第１プライドラムと、前記第１プライドラムの外側に設置されたプライドラム連結リンクにより連結されている第２プライドラムと、前記第１プライドラムの円周方向に設置されたプライベルトにより連結されているプライベルトドラムと、本体の上部に設置されているハイポリバーと、前記ハイポリバーとハイポリベルトにより連結されているハイポリベルトドラムと、本体の左右両側に設置されており、端部にベンチショルダー取っ手が設置されているベンチ・ショルダーインナーと、前記ベンチ・ショルダーインナーが内部で往復摺動するように設置され、ベンチショルダー回転軸を中心にして回転可能に設置されるベンチ・ショルダーアウターと、前記ベンチ・ショルダーインナーの外側に設置されたベンチ・ショルダーベルトにより連結されているベンチ・ショルダーベルトドラムと、ウェイトが設置されているウェイト装置と、前記ウェイト装置と連結されるウェイトドラムと、前記プライベルトドラムとハイポリベルトドラムとベンチ・ショルダーベルトドラムとウェイトドラムとを連結するドラム軸と、運動の途中に助けを借りるために動作させるための警光灯と、を含んでなる。
【００１１】
本発明の構成は、前記シート及び背受けが各々設置されるシートプレート及び背受けプレートと、前記シートの高さを調整するためのシート高さ調整ピンと、前記シートが回転されるようにするためのシート回転ピンと、前記シートを固定するためのシート固定プレートと、前記シート及び背受けの位置を前後に調整するための調整ハンドルと、前記調整ハンドルに連結される雄ねじと、前記雄ねじと結合される雌ねじと、前記雌ねじを本体に固定させるための雌ねじ固定ボルトと、前記雄ねじの後進長さを一定に制限するためのストッパーと、前記ストッパーを本体に固定させるためのストッパー固定ボルトと、前記背受けの下段に車椅子固定ベルトボルトを利用して設置されて車椅子を固定させるための車椅子固定ベルトと、前記背受けプレートの移動のための補助輪を更に含んでなることが好ましい。
【００１２】
本発明の構成は、前記ベンチ・ショルダーアウターに設置されるベンチショルダー回転板及びベンチショルダー回転軸ベアリングと、ベンチ・ショルダーインナーとベンチ・ショルダーアウターの直線スライド運動を円滑にするために設置されるスライドレールと、衝撃及び騒音を防止するための緩衝ゴムと、ベンチ・ショルダーアウターの後側に設置されるウェイトバランスとを更に含んでなることが好ましい。
【００１３】
本発明の構成は、前記ウェイト装置のウェイト調整ホールを利用してウェイトを調整するためのウェイト調整ピンを更に含んでなることが好ましい。
【００１４】
本発明の構成は、前記ドラム軸の回動を円滑にするために、両側端部に設置されているベアリングを更に含んでなることが好ましい。
【００１５】
本発明の構成は、前記ハイポリベルトドラムとプライベルトドラムとベンチ・ショルダーベルトドラムは、中心部にベルトドラムベアリングを設置してドラム軸上で回動自在であり、ドラム軸とシンクキーにより連結されたウェイト連結リンクはベルトドラムウェイト固定ボルトを利用してドラム軸の指定位置に固定され、ベルトドラムウェイトはベルトドラムの内側にベルトドラムウェイト固定ボルトにより固定され、ウェイトの荷重が反時計方向に作用するように長穴（スロットホール）を利用して遊隔を調整して各々の運動装置が指定された位置に停止するようにし、ベルトドラムの内部が見えないように、ベルトドラム蓋固定ボルトを利用してベルトドラム蓋がウェイト連結リンクに固定されることが好ましい。
【発明の効果】
【００１６】
以上、実施形態から分かるように、本発明は、障害者またはリハビリ治療者達が車椅子に乗った状態で、安全で、かつ、容易に使用することができ、胸、肩、背、腕など、身体の様々な部位を運動することについて、場所を移動しなくても一つの場所で多様な運動をすることができるだけでなく、周辺にいる人の補助を受けなくとも、障害者自ら不便を感じることなく利用することができる効果が得られる。
【発明を実施するための最良の形態】
【００１７】
以下、本発明が属する技術分野で通常の知識を有する者が本発明を容易に実施できる程度に詳細に説明するために、本発明の最も好ましい実施形態を添付の図面を参照しつつ詳細に説明する。本発明の目的、作用、効果、その他の目的、特徴、そして動作上の利点等が好ましい実施形態の説明により一層明確になるはずである。
【００１８】
参考に、ここで開示される実施形態は、様々な実施可能な実施例のうち、当業者の理解を助けるために最も好ましい実施形態を選定して提示したに過ぎないのであり、本発明の技術的思想が必ずしもこの実施形態のみに限られる訳ではなく、本発明の技術的思想から外れない範囲内で多様な変化と付加及び変更が可能であることは勿論、均等な他の実施形態が可能であることが理解されるであろう。
【００１９】
図１は本発明の一実施形態に係る車椅子利用障害者またはリハビリ治療者のための複合ヘルス運動器具装置の斜視構成図であり、図２は本発明の一実施形態に係る車椅子利用障害者またはリハビリ治療者のための複合ヘルス運動器具装置の平面図であり、図３は本発明の一実施形態に係る車椅子利用障害者またはリハビリ治療者のための複合ヘルス運動器具装置の側面図であり、図４は本発明の一実施形態に係る車椅子利用障害者またはリハビリ治療者のための複合ヘルス運動器具装置の正面図である。
【００２０】
図１乃至図４に示すように、本発明の一実施形態に係る車椅子利用障害者またはリハビリ治療者のための複合ヘルス運動器具装置の構成は、本体１の中央に設置されているシート２及び背受け３と、前記シート２及び背受け３が各々設置されるシートプレート４１及び背受けプレート４０と、前記シート２の高さを調整するためのシート高さ調整ピン３９と、前記シート２が回転するようにするためのシート回転ピン４２と、前記シートを固定するためのシート固定プレート４３と、前記シート２及び背受け３の位置を前後に調整するための調整ハンドル３８と、前記調整ハンドルに連結される雄ねじ５１と、前記雄ねじ５１と結合される雌ねじ４６と、前記雌ねじ４６を本体１に固定させるための雌ねじ固定ボルト４７と、前記雄ねじ５１の押込み長さを一定に制限するためのストッパー４９と、前記ストッパー４９を本体１に固定させるためのストッパー固定ボルト５０と、前記背受け３の下段に車椅子固定ベルトボルト２４を利用して設置されて車椅子１８を固定させるための車椅子固定ベルト２３と、前記背受けプレート４０の移動のための補助輪４６と、本体１の左右両側に設置されているプライ４と、前記プライ４と軸により連結されている第１プライドラム９と、前記第１プライドラム９の外側に設置されたプライドラム連結リンク１１により連結されている第２プライドラム１３と、前記第１プライドラム９の円周方向に設置されたプライベルト３５により連結されているプライベルトドラム１４と、本体１の上部に設置されているハイポリバー７と、前記ハイポリバー７とハイポリベルト８により連結されているハイポリベルトドラム１２と、本体１の左右両側に設置されており、端部にベンチショルダー取っ手２６が設置されているベンチ・ショルダーインナー５と、前記ベンチ・ショルダーインナー５が内部で往復摺動するように設置され、ベンチショルダー回転軸２８を中心にして回転可能に設置され、ベンチショルダー回転板２９，３３とベンチショルダー回転軸ベアリング３０，３２が設置されているベンチ・ショルダーアウター６と、ベンチ・ショルダーインナー５とベンチ・ショルダーアウター６の直線スライド運動を円滑にするために設置されるスライドレール４６と、衝撃及び騒音を防止するための緩衝ゴム４５と、ベンチ・ショルダーアウター６の後側に設置されるウェイトバランス３１と、前記ベンチ・ショルダーインナー５の外側に設置されたベンチ・ショルダーベルト１９により連結されているベンチ・ショルダーベルトドラム１６と、ウェイトが設置されているウェイト装置３４と、前記ウェイト装置３４のウェイト調整ホール３７を利用してウェイトを調整するためのウェイト調整ピン３６と、前記ウェイト装置３４と連結され、ドラム軸１５とシンクキー、スプライン、セレーション構造等により固定されるウェイトドラム１７と、前記プライベルトドラム１４とハイポリベルトドラム１２とベンチ・ショルダーベルトドラム１６とウェイトドラム１７とを連結するドラム軸１５と、前記ドラム軸１５の回動を円滑にするために両側端部に設置されているベアリング１０，１８と、運動の途中に他人の助けを借りるために動作させるための警光灯２２を含んでなる。
【００２１】
図５ａ乃至図５ｅは、本発明の一実施形態に係る車椅子利用障害者またはリハビリ治療者のための複合ヘルス運動器具装置のドラムの構造図である。
【００２２】
図５ａ乃至図５ｅに示すように、本発明の一実施形態に係る車椅子利用障害者またはリハビリ治療者のための複合ヘルス運動器具装置のハイポリベルトドラム１２とプライベルトドラム１４とベンチ・ショルダーベルトドラム１６は、中心部にベルトドラムベアリング５４を設置してドラム軸１５上で回動自在であり、ドラム軸１５とシンクキー５５により連結されたウェイト連結リンク５２はベルトドラムウェイト固定ボルト５９を利用してドラム軸１５の指定位置に固定される。そして、ベルトドラムウェイト５３はベルトドラム５１の内側にベルトドラムウェイト固定ボルト５７により固定され、ウェイトの荷重が反時計方向に作用するように長穴（スロットホール）を利用して遊隔を調整して各々の運動装置が指定された位置に停止するようにする。また、ベルトドラム蓋５８はベルトドラム５１の内部が見えないようにベルトドラム蓋固定ボルト５６を利用してウェイト連結リンク５２に固定される。
【００２３】
図６ａ及び図６ｂは、本発明の一実施形態に係る車椅子利用障害者またはリハビリ治療者のための複合ヘルス運動器具装置のベンチショルダーインナーとベンチショルダーアウターの作動構造図である。
【００２４】
図６ａ及び６ｂに示すように、本発明の一実施形態に係る車椅子利用障害者またはリハビリ治療者のための複合ヘルス運動器具装置のベンチ・ショルダーインナー５は、ベンチ・ショルダーアウター６の内部で往復摺動することになるが、使用者がベンチショルダー取っ手２６を握ってベンチ運動をする場合、ベンチ・ショルダーインナー５はベンチ・ショルダーアウター６の内部での運動方向にストロークが長いので、円滑な摺動のために、ベンチ・ショルダーインナー５とベンチ・ショルダーアウター６のスライディング部の左右側にはスライドレール４４を設置して直線のスライド運動が円滑になされるようにすることによって、内部の摩擦による騒音低減及び作動性を向上させると共に、製作及び維持管理が便利であるようにする。また、ベンチ・ショルダーインナー５とベンチ・ショルダーアウター６の左右対称点の中間には緩衝ゴム４５を付着して復動時に発生する衝撃及び騒音を防止する。
【００２５】
図７は、本発明の一実施形態に係る車椅子利用障害者またはリハビリ治療者のための複合ヘルス運動器具装置の背受け調整部の斜視分解構造図である。
【００２６】
図７に示すように、本発明の一実施形態に係る車椅子利用障害者またはリハビリ治療者のための複合ヘルス運動器具装置は、一般人もこの機構を利用して運動することができるように、シート２を設置する構造からなるが、シートヒンジピン４２を中心にして時計方向に前記シート２を回転させれば、シートヒンジピン４２を中心に回転してシートプレート４１に接触することになって、図８に示すように、障害者やリハビリ治療者が利用する場合に背受けとして利用でき、シートヒンジピン４２を中心にして反時計方向に前記シート２を回転させれば、シート固定プレート４３により地面と平行に停止して一般人が使用する場合に椅子として使用することができる。
【００２７】
また、シート２と背受け３は、シートプレート４１に設置され、背受けプレート４０とはシート高さ調整ピン３９を利用して上・下に高さが調整できる構造となっている。背受けプレート４０には、調整ハンドル３８、四角雄ねじ５１及びストッパー４９がストッパー固定ボルト５０により固定されて構成され、上記の背受けプレート４０は本体１に雌ねじ固定ボルト４７により固定された雌ねじ４８とねじ締結方式により連結されて構成され、調整ハンドル３８を利用して運動する人の体格または車椅子の種類によって車椅子を乗っている状態で他人の助けなしにシート２及び背受け３の位置を前後に調整することができ、背受けプレート４０の下段には補助輪４６を設置して前後移動を可能とするようにするだけでなく、シート２に過大な荷重が作用して本体１の背受けプレート４０の連結部に無理な荷重が作用する状況を防止する役割もしている。
【００２８】
前記構成による、本発明の一実施形態に係る車椅子利用障害者またはリハビリ治療者のための複合ヘルス運動器具装置の作用は次の通りである。
【００２９】
障害者が車椅子１８に乗って後進して車椅子１８の後面部を背受け３に接触させ、背受け調整ハンドル３８を利用して自分の車椅子１８と身体の条件に合うように前後に調整した後、背を背受け３に密着させて背受け３に設置された車椅子固定ベルト２７により車椅子１８を固定させ、補助的に車椅子ブレーキ装置により車椅子１８を固定した後、ウェイト装置３４で自身に適合した重量を選択してウェイト調整ピン３６をウェイト調整ホール３７に挿入することによって重量を設定する。
【００３０】
まず、プライ４を利用して運動をする場合、プライ４と軸により連結されている第１プライドラム９と第２プライドラム１３は、各々のドラムの外側に設置されたプライドラム連結リンク１１により一定の重量と角度で互いに反対方向に作動することになり、第２プライドラム１３の円周方向に設置されたプライベルト３５によってプライベルトドラム１４が時計方向に回転され、図５ａ乃至図５ｅに示すように、プライベルトドラム１４と固定ベルト５７により連結されたベルトドラムウェイト５３が時計方向に回転することになって、“Ｄ”点でウェイト連結リンク５２と連結されながらドラム軸１５も回転することになる。このようにドラム軸１５が回転することによって、ウェイトドラム１７も同一方向に回転することになり、ウェイトドラム１７の円周方向に連結されたウェイト・ベルト２０が上側方向に作用することになって、ウェイト装置３４の荷重がかかることになる。
【００３１】
プライ４の運動を停止する場合、ウェイト装置３４の荷重が下方に作用することになり、ウェイト装置３４と連結されたウェイト・ベルト２０によりウェイトドラム１７が反時計方向に回転することになってドラム軸１５が回転することになる。このように、ドラム軸１５が回転することになれば、ドラム軸１５とシンクキー５５により連結されたプライベルトドラム１４のウェイト連結リンク５２が反時計方向に回転し、この運動はベルトドラムウェイト５３を反時計方向に回転させることになって、プライベルト３５によりプライ４は元の位置に戻る。
【００３２】
次に、ハイポリバー７で運動する場合、ハイポリバー７の両側端部を握って下方に引けば、ハイポリバー７と連結されたハイポリベルト８によりハイポリベルトドラム１２が図５ａ乃至図５ｅに示すように“Ｃ”の時計方向に回転させることになり、この際、ハイポリベルトドラム１２と固定ボルト５７により連結されたベルトドラムウェイト５３が時計方向に回転することになって、“Ｄ”点でウェイト連結リンク５２と連結された状態でドラム軸１５も回転することになる。このように、ドラム軸１５が回転することになれば、ウェイトドラム１７も同一方向に回転することになり、ウェイトドラム１７の円周方向に設置されたウェイトベルト２０が上方に作用することになって、ウェイト装置３４の荷重がかかることになる。
【００３３】
ハイポリバー７の運動を停止する場合、ウェイト装置３４の荷重が下方に作用することになって、ウェイトドラム１７が反時計方向に回転することになって、ドラム軸１５が回転することになる。このように、ドラム軸１５が回転することになれば、ハイポリベルトドラム１２においてドラム軸１５とシンクキー５５により連結されたウェイト連結リンク５２が反時計方向に回転し、この運動はベルトドラムウェイト５３を反時計方向に回転させることになって、ハイポリベルト８によりハイポリバー７は元の位置に戻る。
【００３４】
次に、ショルダー運動をする場合、ベンチ・ショルダーインナー５に設置されたベンチ・ショルダーホルダ２６を握って上方に上げれば、ベンチ・ショルダーアウター６、ベンチ・ショルダー固定板２９，３３及びベンチ・ショルダー回転軸ベアリング３０，３２により本体１に設置されたベンチ・ショルダー回転軸２８を中心に回動をすることになる。ベンチ・ショルダーアウター６の後側には、ウェイトバランス３１を設置してベンチ・ショルダーインナー５による重心が前方に偏らないで均衡をなすように調整できるようにする。ベンチ・ショルダーインナー５の外側に設置されたベンチ・ショルダーベルト１９がベンチ・ショルダーベルトローラ２１を介してベンチ・ショルダーベルトドラム１６を図５ａ乃至図５ｅに示すように、“Ｃ”の時計方向に回転させることになり、この際、ベンチ・ショルダーベルトドラム１６と固定ボルト５７により連結されたベルトドラムウェイト５３が時計方向に回転することになり、“Ｄ”点でウェイト連結リンク５２と連結されながらドラム軸１５も回転することになる。このように、ドラム軸１５が回転することになれば、ウェイトドラム１７も同一方向に回転することになり、ウェイトドラム１７の円周方向に設置されたウェイト・ベルト２０が上方に作用することになって、ウェイト装置３４の荷重がかかることになる。
【００３５】
ショルダー運動を停止する場合、ウェイト装置３４の荷重によりウェイトドラム１７が反時計方向に回転することになって、ドラム軸１５が回転することになる。このように、ドラム軸１５が回転することになれば、ベンチ・ショルダーベルトドラム１６において、ドラム軸１５とシンクキー５５により連結されたウェイト連結リンク５２が反時計方向に回転し、この運動はベルトドラムウェイト５３を反時計方向に回転させることになって、ベンチ・ショルダーベルト１９によりベンチ・ショルダーインナー５は元の位置に戻る。
【００３６】
次に、ベンチ運動をする場合、ベンチ・ショルダーインナー５に設置されたベンチ・ショルダーホルダ２６を握って前に押せば、ベンチ・ショルダーインナー５の外側に設置されたベンチ・ショルダーベルト１９がベンチ・ショルダーベルトローラ２１を介してベンチ・ショルダーベルトドラム１６を図５ａ乃至図５ｅに示すように、“Ｃ”の時計方向に回転させることになり、この際、ベンチ・ショルダーベルトドラム１６と固定ボルト５７により連結されたベルトドラムウェイト５３が時計方向に回転することになり、“Ｄ”点でウェイト連結リンク５２と連結されながらドラム軸１５も回転することになる。このように、ドラム軸１５が回転することになれば、ウェイトドラム１７も同一方向に回転することになり、ウェイトドラム１７の円周方向に設置されたウェイト・ベルト２０が上側方向に作用することになって、ウェイト装置３４の荷重がかかることになる。
【００３７】
ベンチ運動を停止する場合、ウェイト装置３４の荷重によりウェイトドラム１７が反時計方向に回転することになって、ドラム軸１５が回転することになる。このように、ドラム軸１５が回転することになれば、ベンチ・ショルダーベルトドラム１６において、ウェイトドラム軸１５とシンクキー５５により連結されたウェイト連結リンク５２が反時計方向に回転し、この運動はベルトドラムウェイト５３を反時計方向に回転させることになって、ベンチ・ショルダーベルト１９によりベンチ・ショルダーインナー５は元の位置に戻る。
【００３８】
運動の途中に他人の助けが必要であったり、緊急な状況が発生すれば、警報装置である警光灯２８をタッチすれば助けを借りることができる。
【００３９】
本発明は、車椅子を乗った障害者またはリハビリ治療者が一般のヘルスクラブ及び近所の体育施設（野外ヘルス機構）を利用して運動する際、車椅子を乗った状態で運動を行うことによって、運動器具から移動する度に繰り返し発生する車椅子から乗り降りする不便さを解消するだけではなく、限定された狭い空間でも様々な運動を多様にすることができるように、障害者またはリハビリ治療者専用多目的ヘルス機構に備えられることによって、障害者またはリハビリ治療者も一般人のように運動を日常生活に取り込むことができるという効果がある。
【００４０】
また、体育公園に本発明の複合専用ヘルス機構を設置する場合には、障害者またはリハビリ治療者が一人または家族と共に利用できる機会を提供して、障害者またはリハビリ治療者の福祉にも寄与することができる。
【図面の簡単な説明】
【００４１】
【図１】本発明の一実施形態に係る車椅子利用障害者またはリハビリ治療者のための複合ヘルス運動器具装置の斜視構成図である。
【図２】本発明の一実施形態に係る車椅子利用障害者またはリハビリ治療者のための複合ヘルス運動器具装置の平面図である。
【図３】本発明の一実施形態に係る車椅子利用障害者またはリハビリ治療者のための複合ヘルス運動器具装置の側面図である。
【図４】本発明の一実施形態に係る車椅子利用障害者またはリハビリ治療者のための複合ヘルス運動器具装置の正面図である。
【図５ａ】本発明の一実施形態に係る車椅子利用障害者またはリハビリ治療者のための複合ヘルス運動器具装置のドラムの構造図である。
【図５ｂ】本発明の一実施形態に係る車椅子利用障害者またはリハビリ治療者のための複合ヘルス運動器具装置のドラムの構造図である。
【図５ｃ】本発明の一実施形態に係る車椅子利用障害者またはリハビリ治療者のための複合ヘルス運動器具装置のドラムの構造図である。
【図５ｄ】本発明の一実施形態に係る車椅子利用障害者またはリハビリ治療者のための複合ヘルス運動器具装置のドラムの構造図である。
【図５ｅ】本発明の一実施形態に係る車椅子利用障害者またはリハビリ治療者のための複合ヘルス運動器具装置のドラムの構造図である。
【図６ａ】本発明の一実施形態に係る車椅子利用障害者またはリハビリ治療者のための複合ヘルス運動器具装置のベンチショルダーインナーとベンチショルダーアウターの作動構造図である。
【図６ｂ】本発明の一実施形態に係る車椅子利用障害者またはリハビリ治療者のための複合ヘルス運動器具装置のベンチショルダーインナーとベンチショルダーアウターの作動構造図である。
【図７】本発明の一実施形態に係る車椅子利用障害者またはリハビリ治療者のための複合ヘルス運動器具装置の背受け調整装置の分解構造図である。
【図８】本発明の一実施形態に係る車椅子利用障害者またはリハビリ治療者のための複合ヘルス運動器具装置の背受け設置構造図である。
【符号の説明】
【００４２】
１  本体
２  シート
３  背受け
４  プライパッド
５  ベンチ・ショルダーインナー
６  ベンチ・ショルダーアウター
７  ハイポリバー
８  ハイポリベルト
９  第１プライドラム
１０  ボールベアリングセット
１１  プライドラム連結リンク
１２  ハイポリベルトドラム
１３  第２プライドラム
１４  プライベルトドラム
１５  ドラム軸
１６  ベンチ・ショルダーベルトドラム
１７  ウェイトベルトドラム
１８  ボールベアリングセット
１９  ベンチ・ショルダーベルト
２０  ウェイトベルト
２１  ベンチ・ショルダーベルトローラ
２２  警光灯
２３  車椅子固定ベルト
２４  車椅子固定ベルトボルト
２５  ベンチ・ショルダー緩衝ラバー
２６  ベンチ・ショルダーホルダ
２７  ハイポリベルトローラ
２８  ベンチ・ショルダー回転軸
２９  ベンチ・ショルダー固定板
３０  ベンチ・ショルダー回転軸ベアリング
３１    ウェイトバランス
３２  ベンチ・ショルダー回転軸ベアリング
３３  ベンチ・ショルダー固定板
３４  ウェイト装置
３５  プライベルト
３６  ウェイト調整ピン
３７  ウェイト調整ホール
３８  調整ハンドル
３９  シート高さ調整ピン
４０  背受けプレート
４１  シートプレート
４２  シート回転ピン
４３  シート固定プレート
４４  スライドレール
４５  緩衝ゴム
４６  補助輪
４７  雌ねじ固定ボルト
４８  雌ねじ
４９  ストッパー
５０  ストッパー固定ボルト
５１  雄ねじ
５２  ウェイト連結リンク
５３  ベルトドラムウェイト
５４  ベルトドラムベアリング
５５  シンクキー
５６  ベルトドラム蓋固定ボルト
５７  固定ボルト
５８  ベルトドラム蓋
【図２】
2007307340.tif 000003
【図３】
2007307340.tif 000004
【図４】
2007307340.tif 000005
【図５ａ】
2007307340.tif 000006
【図５ｂ】
2007307340.tif 000007
【図５ｄ】
2007307340.tif 000008
【図５ｅ】
2007307340.tif 000009
【図６ａ】
2007307340.tif 000010
【図６ｂ】
2007307340.tif 000011
【図１】
2007307340.tif 000012
【図５ｃ】
2007307340.tif 000013
【図７】
2007307340.tif 000014
【図８】
2007307340.tif 000015